(57)【要約】【課題】容器本体部と被覆部との係止に関して、容器本体部側に孔や切欠きと言った容器の密閉性を損なう加工を施さずとも蓋体の確実な係止を実現した、シート状体からなる容器の提供を図る。【解決手段】容器本体部４１と、この容器本体部４１の表面側に重ねられてその一部が接着された被覆部とを備える。被覆部は、容器本体部と接着される残存部９２と、開口部を形成するために残存部９２から分離される分離部とを備える。分離部は、折り目線９８を介して区分された分離部本体９７と折り曲げ片とを備える。折り曲げ片は、上記折り目線９８から折り曲げて分離部本体９７と重ねた状態で剥離部本体９７からはみ出す係止部分９６を備え、この係止部分９６を容器本体部４１と残存部２２との一部との間の挿入部１０１に挿入して係止をなす。【選択図】          図５
2006151502.tif 000002
【特許請求の範囲】
【請求項１】
容器本体部と、この容器本体部の表面側に重ねられてその一部が接着された被覆部とを備え、
被覆部は、容器本体部と接着される残存部と、開口部を形成するために残存部から分離される分離部とを備え、
分離部は、折り目線を介して区分された分離部本体と折り曲げ片とを備え，
折り曲げ片は、上記折り目線から折り曲げて分離部本体と重ねた状態で分離部本体からはみ出す係止部分を備え、分離部本体からはみ出した係止部分により分離部の係止をなすことを特徴とする、シート状体からなる容器。
【請求項２】
容器本体部と残存部との一部との間に両者が接着されていない挿入部が形成され、係止部分を挿入部に挿入することによって分離部の係止をなすことを特徴とする請求項１記載の、シート状体からなる容器。
【請求項３】
容器本体部と、この容器本体部の表面側にその一部が接着された被覆部とを備え、
被覆部は、容器本体部と接着される残存部と、開口部を形成するために残存部から分離される分離部とを備え、
分離部は、折り目線を介して区分された分離部本体と折り曲げ片とを備え，
折り曲げ片は、上記折り目線から折り曲げて分離部本体と重ねた状態で容器本体部と被覆部との少なくとも何れか一方に係止されるものであり、分離部本体に折り重ねられた折り曲げ片により分離部の係止をなすことを特徴とする、シート状体からなる容器。
【請求項４】
被覆部は、周囲が分離部に囲まれた引掛片を備え、
引掛片は、開封時に分離部が残存部から分離された際に、容器本体部に残存するものであり、
上記のように折り曲げ片により分離部が係止された際に、折り曲げ片の一部と引掛片の一部とが係合可能とされたことを特徴とする、請求項１〜３のいずれかに記載の、シート状体からなる容器。
【発明の詳細な説明】
【技術分野】
【０００１】
本願発明は、紙などのシート状体を材料として構成された容器に関するものである。
【背景技術】
【０００２】
【特許文献１】特開２００４−９１０１４
【特許文献２】特開２００４−９０９７５
【０００３】
従来より、特許文献１及び２に示すように、紙製容器の一部を破って開口部を形成し、形成された開口部を破った部分（蓋板）で再度閉じるようにした容器が、粉末洗剤等の容器として提案されている。
【０００４】
特許文献１にあっては、容器胴部の側面板に重なる蓋板先端部に係止片を設け、蓋板先端部が重なる側面板に係止片が係脱可能に係止する係止孔を有した支持片を設けて、蓋板先端部を支持片に掛け止め可能にし、支持片とこの支持片の容器内方側に位置する当て板との隙間にも蓋板先端部を差し入れできるようにした紙製容器を提案するものである。
【０００５】
特許文献２にあっては、収納空間が天板によって閉塞される紙製カートンであって、側板の表面に貼着される外側折り返し片が折曲げ可能に天板に連設され、さらに側板の表面に外側折り返し片の裏面に貼着される表側接着部が設けられ、外側折り返し片に引っ掛け片を設け、さらに外側折り返し片が貼着される側板の表面に前記引っ掛け片を引っ掛け可能な引っ掛け係止片を設けたことを特徴とするカートンを提案するものである。
【０００６】
これらの特許文献１、２にあっては、蓋板の先端を係止するものであるが、その際、蓋板先端部（外側折り返し片に設けられた引っ掛け片）を、側板に係止するものである。具体的には、係止孔や切欠きなどを側板に形成して固定するものである。その結果、側板には孔や切り込みが出来てしまうことが避けられない。従って、この孔や切り込みを閉じるためには、側板の裏面（容器内面）などに当て板を設ける必要が生じてしまい、蓋板先端部、側板、当て板の３枚の部を重ねる構成が必須となってしまう。
【０００７】
これを本願発明の請求項の用語に則して説明すると、容器本体部と、この容器本体部の表面側にその一部が接着された被覆部とを備え、被覆部は、容器本体部と接着される残存部と、開口部を形成するために残存部から分離される分離部とを備えた容器にあっては、分離部を残存部からミシン目などを切り開いて、残存部から分離する。そして、蓋をする際には、分離部を閉じて最初の状態、即ち、分離部を残存部に戻した状態にすることとなり、この状態で、分離部を容器の容器の何れかの箇所に係止することとなる。ところが、分離部は、残存部の切り抜かれた形状と同じであるため、残存部に分離部を係止することはできない。そのため、容器本体部に分離部を挿入するために係止孔や切欠きなどを形成せざるを得ないこととなる。従って、この孔や切り込みを閉じるためには、側板の裏面（容器内面）などに当て板を設ける必要が生じてしまい、蓋板先端部、側板、当て板の３枚の部を重ねる構成が必須となってしまう。
【発明の開示】
【発明が解決しようとする課題】
【０００８】
本願発明は、容器本体部と被覆部との係止に関して、容器本体部側に孔や切欠きと言った容器の密閉性を損なう加工を施すことなく蓋体の確実な係止を実現した、シート状体からなる容器の提供を目的とする。特に、容器本体部と、この容器本体部の表面側にその一部が接着された被覆部との２枚重ねのシートのみで、蓋体の確実な係止を実現した、シート状体からなる容器の提供を図ることを目的とする。
本願発明の他の目的は、容器本体部と被覆部と係止に関して、紙などのシート状体の弾性を有効利用して蓋体の確実な係止を実現する、シート状体からなる容器を提供することにある。
【課題を解決するための手段】
【０００９】
そこで本願の請求項１に係る発明は、容器本体部と、この容器本体部の表面側に重ねられてその一部が接着された被覆部とを備え、被覆部は、容器本体部と接着される残存部と、開口部を形成するために残存部から分離される分離部とを備え、分離部は、折り目線を介して区分された分離部本体と折り曲げ片とを備え、折り曲げ片は、上記折り目線から折り曲げて分離部本体と重ねた状態で分離部本体からはみ出す係止部分を備え、分離部本体からはみ出した係止部分により分離部の係止をなすことを特徴とする、シート状体からなる容器を提供する。
本願の請求項２に係る発明は、容器本体部と残存部との一部との間に両者が接着されていない挿入部が形成され、係止部分を挿入部に挿入することによって分離部の係止をなすことを特徴とする請求項１記載の、シート状体からなる容器を提供する。
本願の請求項３に係る発明は、容器本体部と、この容器本体部の表面側にその一部が接着された被覆部とを備え、被覆部は、容器本体部と接着される残存部と、開口部を形成するために残存部から分離される分離部とを備え、分離部は、折り目線を介して区分された分離部本体と折り曲げ片とを備え、折り曲げ片は、上記折り目線から折り曲げて分離部本体と重ねた状態で容器本体部と被覆部との少なくとも何れか一方に係止されるものであり、分離部本体に折り重ねられた折り曲げ片により分離部の係止をなすことを特徴とする、シート状体からなる容器を提供する。
本願の請求項４に係る発明は、被覆部は、周囲が分離部に囲まれた引掛片を備え、引掛片は、開封時に分離部が残存部から分離された際に、容器本体部に残存するものであり、上記のように折り曲げ片により分離部が係止された際に、折り曲げ片の一部と引掛片の一部とが係合可能とされたことを特徴とする、請求項１〜３のいずれかに記載の、シート状体からなる容器を提供する。
【発明の効果】
【００１０】
本願の請求項１又は２に係る発明は、容器本体部と被覆部との係止に関して、容器本体部側に孔や切欠きと言った容器の密閉性を損なう加工を施すことなく蓋体の確実な係止を実現した、シート状体からなる容器を提供することができたものである。特に、容器本体部と、この容器本体部の表面側にその一部が接着された被覆部との２枚重ねのシートのみで、蓋体の確実な係止を実現したものである。従って、容器に作るのに必要な紙などのシート状体の大きさが小さくなり、省資源、省コストの容器を製作することも可能となる。  本願の請求項３に係る発明は、容器本体部と被覆部と係止に関して、紙などのシート状体の弾性を有効利用して蓋体の確実な係止を実現する、シート状体からなる容器を提供し得たものである。
本願の請求項４に係る発明は、折り曲げ片の一部と引掛片の一部とが係合可能とされたことにより、誤って分離部のみを持ち、容器を持ち上げてしまった場合でも、容器本体部に対して分離部が係止されているため、粉末洗剤などの被収納物をこぼしてしまう可能性を低減できたものである。
【発明を実施するための最良の形態】
【００１１】
以下、図面に基づき本願発明の実施の形態を、紙製容器を例にとって説明する。
図１は本願発明の第１の実施の形態に係る紙製容器の展開図であり、図２は同紙製容器の斜視図、図３は同紙製容器の開蓋状態の斜視図、図４は同紙製容器の蓋体の係止過程を示す斜視図、図５は図４の要部拡大図、図６は同紙製容器の閉蓋状態の斜視図、図７は図６の VII−VII 線に沿う断面を示すもので、（Ａ）は開蓋時の断面図、（Ｂ）は閉蓋時の断面図である。なお、本願の各図において、特別な断りがない限り、破線はミシン目を示し、２点鎖線は折り目線を示す。また、本願の各説明において、特別な断りがない限り、上下前後左右は相対的な位置関係を示すに止まり、絶対的な位置を示すものではない。
【００１２】
この実施の形態に係る紙製容器は、全体が６面体をなすもので、粉末洗剤などの微細な粒子を収納するのに適した容器であるが、被収納物は適宜変更して実施し得る。また容器の全体形状についても、６面体の他、４面体、８面体など適宜変更し得る。
また、容器の材質は、本例のような紙製に限られたものではなく、シート状体であれば、樹脂などからなるものであっても良い。ただし、樹脂製シートを用いた場合は、紙とは異なり層間剥離をさせることができないためにハーフカットは採用できず、シート状体の切断はミシン目によって単純に２分割されるものとなる。
【００１３】
この容器は、図１に示すように、上面部３１、前面部４１、下面部５１、後面部６１、上被覆部１１、前被覆部２１が折り目線を介して連設されている。上面部３１、前面部４１、下面部５１、後面部６１の左右両側には、それぞれ左上面延設部７１、右上面延設部７２、左前面延設部７３、右前面延設部７４、左下面延設部７５、右下面延設部７６、左後面延設部７７、右後面延設部７８が折り目線を介して連設されており、これらで容器本体部が形成される。これらの各部は、折り目線から９０度に折り曲げられることによって、直方体が形成される。その際、左上面延設部７１、左前面延設部７３、左下面延設部７５、左後面延設部７７は互いに糊付けされ、閉ざされた左側面が形成される。また右上面延設部７２、右前面延設部７４、右下面延設部７６、右後面延設部７８は互いに糊付けされ、閉ざされた右側面が形成される。なお、本願では、糊付けとは、接着と同義語として使用し、両面接着テープ若しくは片面接着テープなどでの接着も、糊付けに含まれるものとする。
【００１４】
なお、本例の容器においては、下面部５１と前面部４１の一部とに、図１に示すように、凹条である押罫５２が形成されている。容器を廃棄する際には、この押罫５２の形成された部分で各部５１，４１を折り曲げることにより、容器をコンパクトに折り畳むことが可能である。なお、この押罫５２の形成は必須のものではなく、省略しても良い。また、押罫５２の形態は図示したものに限られるものではなく、容器を折り畳みやすくするためのものであれば、ミシン目など、種々の形態での実施が可能である。
【００１５】
上被覆部１１と前被覆部２１とは、全体で被覆部１０を形成するもので、被覆部１０は容器本体部の表面側に重ねられて糊付けされる。上被覆部１１は上面部３１の表面に重ねられて略全面若しくは部分的に接着され、前被覆部２１は前面部４１の表面に重ねられて部分的に接着される。これらの接着箇所は後述する。
【００１６】
図１に示すように、上面部３１と前面部４１には、開口部を形成するための分離線が形成される。この分離線は、ミシン目などの断続線、紙の表裏に貫かれた切り目など分離できるものであればよいが、この例ではハーフカットが採用されている。より詳しくは、第１カット８１と第２カット８２とが平行に形成されており、第１カット８１が開口部の周縁を規定し、第２カット８２が第１カット８１の外側に形成されている。第１カット８１は容器の内側から紙の中間部分までの深さに形成されたもので、第２カット８２は容器の外側から紙の中間部分までの深さに形成されている。第１カット８１と第２カット８２とは、開口部を明ける際に、紙の中間部分で紙の層間剥離によって繋がることにより、開口されるもので、開口した際には、図５に示すように、層間剥離部分８３が開口部の周縁に形成されることとなる。このハーフカットを採用することによって、容器の紙の表裏に貫かれた部分を設けることなく分離が可能となるため、密閉性の向上と開口の容易性とを両立させることができる。なお、この例では、開口部は、上面部３１と、上面部３１に連設された前面部４１に形成されるものであるが、前面部４１には形成せずに上面部３１にのみ形成するようにしてもよい。
このように、第１カット８１及び第２カット８２によって規定された部分が、上面部３１に形成される本体上分離部８４と、前面部４１に形成される本体前分離部８５であり、両者を併せて本体分離部８６と呼ぶ。この本体分離部８６が開口部を開閉することとなる。  なお、第１カット８１、第２カット８２は直線のものを示したが、これに限らず、図８に示すように、第１カット８１を波線にすることによって、第１カット８１の端部で人が手を切ると言った恐怖感を少なくすることができる。このように、第１カット８１や第２カット８２の具体的形状は、適宜変更し得る。
【００１７】
上面部３１と前面部４１の表面に重ねられて接着される被覆部１０についても、図１に示すように、開口部と対応するようにして分離線９１が形成される。この分離線９１は、図２に示すように、被覆部１０が容器本体部の表面側に重ねられた際に、容器本体部の分離線（第１カット８１及び第２カット８２）の一回り外側に位置するように形成されたもので、ミシン目などの断続線が適当であるが、分離できることを条件に適宜変更し得る。この分離線９１によって、被覆部１０（上被覆部１１及び前被覆部２１）が、残存部９２と分離部９３とに区画される。詳しくは、上被覆部１１が上被覆残存部１２と上被覆分離部１３とに区画され、前被覆部２１が前被覆残存部２２と前被覆分離部２３とに区画される。上被覆残存部１２と前被覆残存部２２とは折り目線を介して連続しており、上被覆分離部１３と前被覆分離部２３とは折り目線を介して連続している。
【００１８】
しかして、これらの容器本体部の分離線（第１カット８１及び第２カット８２）と分離線９１とによって、開口部を開閉する蓋体１００が形成されることとなる。この蓋体１００は、本体分離部８６と分離部９３とを接着したものであり、その基端は、後面部６１と被覆部１０（上被覆部１１）との間のヒンジ用折り目線９４によって、容器と回動可能に連設されることとなる。このヒンジ用折り目線９４は、容器全体で言えば、上面と後面との間の折り目線となるが、これに限らず、他の位置にヒンジ用折り目線９４を設けても良い。
【００１９】
分離部９３には、その先端に先端折り目線９８を介して折り曲げ片９５が設けられている。この折り曲げ片９５は、図５に示すように、先端折り目線９８から二つ折りにされて、分離部９３の本体と重ねられるものである。そして、その幅が、重ねられる分離部９３の本体より大きく形成されている。この折り曲げ片９５が重ねられる分離部９３の本体部分を幅狭部９７と呼ぶ。このように、二つ折りにされた状態で、幅狭部９７より折り曲げ片９５の方が大きいため、折り曲げ片９５の一部が幅狭部９７よりはみ出すこととなり、このはみ出す部分が係止部分９６となる。この例では、左右対称に形成され、折り曲げ片９５の両端に係止部分９６がそれぞれ形成される。
なお、本例の容器においては、図１に実線で示したように、前被覆部２１の図示下端と折り曲げ片９５の図示下端とが一致したものとされているが、これに限られず、図１において破線で示したように、前被覆部２１が延長部２１ａの分、図示下方に延長されたものとされ、前被覆部２１の図示下端よりも折り曲げ片９５の図示下端の方が上方に位置するものであっても良い。
【００２０】
ヒンジ用折り目線９４と先端折り目線９８との間には、中間折り目線９９が形成されており、また、本体分離部８６における本体上分離部８４と本体前分離部８５との間にも中間折り目線８７が形成される結果、蓋体１００は、その中間で折り曲がることができ、この中間折り目線８７及び中間折り目線９９が容器全体の上面と前面との間の折り目線となる。
【００２１】
なお、本体上分離部８４と上被覆分離部１３とは重ねられて接着されるが、第２カット８２と分離線９１との間の部分は接着されない。また、本体前分離部８５と前被覆分離部２３は重ねられて接着されるが、第２カット８２と分離線９１との間の部分は接着されない。また、残存部９２（上被覆残存部１２と前被覆残存部２２）は、容器本体部、即ち、上面部３１及び前面部４１に接着される。前被覆分離部２３は、本体前分離部８５と接着されるが、本体前分離部８５以外の前面部４１とは接着されない。
【００２２】
以上のように構成されたこの実施の形態の容器は、夫々の折り目線が折られて各部が必要に応じて糊付けされることによって、図２に示す容器が完成される。
【００２３】
この容器を開封するに際しては、図３に示すように、前面部４１に接着されていない折り曲げ片９５に指を差し込んで、引き上げることにより、分離線９１が破れて、分離部９３と、これに接着された本体分離部８６とが、分離線９１、第１カット８１及び第２カット８２に沿って開く。これにより、蓋体１００が形成され、この蓋体１００はヒンジ用折り目線９４を中心として回動して開閉するものとなる。この蓋体１００は、本体上分離部８４と上被覆分離部１３とが接着された上面蓋部と、本体前分離部８５と前被覆分離部２３とが接着された前面蓋部とを備えるものとなる。上面蓋部とこれに連続する前面蓋部の基端側は、開口部と同じ幅となり、前面蓋部の基端側にのみ前被覆分離部２３に本体前分離部８５が接着されるが、先端側にあっては、前被覆分離部２３のみとなっており、この先端側の部分に、前述の幅狭部９７、折り曲げ片９５が設けられる。この前被覆分離部２３の基端側の部分を広幅部１０３という。
【００２４】
なお、開封の際において、折り曲げ片９５に指を差し込みやすくするために、折り曲げ片９５に対して重なり合う前面部４１の表面に、図５や図１１に破線で示した突起部４１ａを設けても良い。これにより、突起部４１ａと折り曲げ片９５とを当接させて、折り曲げ片９５と前面部４１との間に隙間を設けることができ、折り曲げ片９５に対して容易に指を差し込むことができる。この突起部４１ａの形成は、プレス加工によるものや、紙などの小片を貼り付けたものなど、種々の手段により実施し得る。
また、図１や図１１に破線で示したように、前被覆部２１に延長部２１ａを設け、その延長部２１ａに、同じく破線で図示したように、半円形状などの貫通穴からなる凹部４１ｂを設けても良い。この凹部４１ｂは、前面部４１に前被覆部２１が重ね合わされた際、前被覆部２１の表面から一段低くなるものであり、これにより、折り曲げ片９５に対して指を差し込みやすくできる。なお、この凹部４１ｂは、上記のような貫通穴の形態に限られるものではなく、前被覆部２１を層間剥離させたものとしても良い。また、前被覆部２１には延長部２１ａを設けず、前面部４１のうち指の触れる部分に凹部４１ｂを設けても良く、種々の形態で実施し得る。
【００２５】
次に、この蓋体１００を閉じる場合には、図４、図５に示すように、折り曲げ片９５を先端折り目線９８から折り返す。この折り返しは、折り曲げ片９５を幅狭部９７の表面側となるように行ってもよく、裏面側となるように行ってもよい。
ここで、図３に破線で示したように、前被覆分離部２３を貫通するスリット１０６を形成しておき、上記の折り曲げ片９５の折り返しの際に、図５に破線で示すように、折り曲げ片９５の一部（図５に示したものでは、折り返した状態における上端）をスリット１０６に挟み込み、折り曲げ片９５を折り返した形態のまま固定できるものとしても良い。
【００２６】
そして、この幅狭部９７からはみ出している係止部分９６を、前被覆残存部２２と前面部４１との間に差し込むことにより係止する（図６）。ここで、前被覆残存部２２は図５に示すように、幅狭部９７の両側に当る部分は前面部４１と接着されておらず、この部分が挿入部１０１となる。（図５上の点は、前被覆残存部２２と前面部前面部４１との接着箇所を示す）。この例では、係止部分９６が左右両側に設けられており、挿入部１０１もこれに応じて左右両側に設けられるが、係止部分９６、挿入部１０１を左右いずれか一方のみに設けるようにしてもよい。
【００２７】
図７は、この係止の前（図７（Ａ））と係止後（図７（Ｂ））を示す断面図であり、係止後には、左右両側の係止部分９６は左右の挿入部１０１に挿入され、幅狭部９７は左右の前被覆残存部２２の間に位置することとなる。ここで、折り曲げ片９５は先端折り目線９８から折り曲げられて幅狭部９７に重ねられているため、幅狭部９７と折り曲げ片９５には開き方向の紙の弾性が加わり、その弾性によって、単なる挿入以上の確実な係止が実現する。しかも、前面部４１には切欠きや切欠孔を設ける必要がなく、容器本体部である前面部４１の密閉性が確保され、容器本体部を構成する１枚のシートと、被覆部１０のシートとの２枚重ね構造のみで、蓋体の形成と蓋体の係止構造とを実現できる。なお、容器本体部の強度など他の観点から３枚以上のシートを重ねるようにして実施してもよい。
【００２８】
ここで、上記で説明した、折り曲げ片９５に対する突起部４１ａと同様に、図１１に破線で示したように、前被覆残存部２２に対して重なり合う前面部４１の表面に、突起部４１ｃを設けても良い。これにより、突起部４１ｃと前被覆残存部２２とを当接させて、挿入部１０１における前被覆残存部２２と前面部４１との間の空間を広げることができ、係止部分９６を挿入部１０１により容易に挿入することができる。
【００２９】
なお、蓋体１００の係止構造は、適宜変更して実施することができ、図９に示すように、分離部９３の適宜箇所に切り込み１０２を設け、これに対応して残存部９２にできる突起と係合するようにしてもよい。また、係止部分９６の大きさや形状も、図９のように、比較的大きなものとしてもよい。
【００３０】
さらに、図１０に示すように、前被覆分離部２３の幅（より具体的には広幅部１０３の幅）を先端に向かう従って大きくしてもよい。これによって、蓋をした場合には、前被覆残存部２２との関係で逆テーパｔ１となり、蓋体１００の係止がより向上し、この部分に設けられた切り込み１０２とで、より強固な固定が実現する。また幅狭部９７に逆テーパ部ｔ２を設けても良い。
【００３１】
さらに、先の例では、容器の２つの面に渡って（上面と前面とに）蓋体１００を設けたが、図１２に示すように、容器の１つの面にのみ蓋体１００を設けることも可能である。この場合、蓋体１００は、実線で図示したように、ヒンジ用折り目線９４に対して、垂直方向に切り取られるようにしても良いし、一点鎖線で図示したように、斜め方向に切り取られるようにしても良い。
また、この場合では、挿入が容易なように、谷折り目線１０４と山折り目線１０５とを設けておくことが望ましい。また図示は省略するが、残存部９２に切り込みや孔を設けて、この切り込みなどに係止部分９６を挿入するようにしてもよい。
【００３２】
また、上記に説明した例では、上面部３１に対して被覆部１０が重ね合わされるものであったが、それ以外に、上面部３１を省略し、上被覆部１１のみで容器の上面を構成するものとしても良い。具体的には、図１３に示すように、上被覆部１１に左上面延設部７１と右上面延設部７２とが延設されたものである。また、第１カット８１と第２カット８２及び各カット８１，８２によって規定された部分である本体分離部８６は、前面部４１にのみ形成される。また、この場合においては、開口部を形成するための分離線は上被覆部１１に形成される。この分離線の構成は先の例における第１カット８１と第２カット８２と同じであって、この例では、分離線９１が先の例における第１カット８１に相当し、内側カット９１ａが同第２カット８２に相当する。よって、容器とされた状態においては、上被覆部１１の分離線９１と内側カット９１ａとの間、そして、前面部４１の第１カット８１と第２カット８２との間がそれぞれ層間剥離する。なお、先の例における分離線９１は、容器本体部の分離線（第１カット８１及び第２カット８２）の一回り外側に形成されたものであるが、この例では、前面部４１に形成された第２カット８２と分離線９１とは重なる位置に形成されている。
【００３３】
次に、更に他の例について説明する。この例においては、図１１に示した構造に加え、図１４に示すように、前被覆分離部２３にミシン目やハーフカットなどの分離線によって囲まれた引掛片１０７が形成されたものである。この引掛片１０７は、周囲が前被覆分離部２３に囲まれたものであって、前面部４１に接着されている。これにより、開封時に分離部９３が残存部９２から分離された際に、図１６に示すように、この引掛片１０７が前面部４１に残存する。
上記のように開封後に前面部４１に残存した引掛片１０７は、折り曲げ片９５を先端折り目線９８から折り返し、図１５（Ａ）に示すように閉蓋状態とされた際において、図１５（Ｂ）に示すように、折り曲げ片９５の端面９５ａと引掛片１０７の下端面１０７ａとが係合可能とされたものである。この例においては、閉蓋状態において、折り曲げ片９５の端面９５ａと引掛片１０７の下端面１０７ａとが、図１５（Ｂ）に示すように当接するものとされているが、両端面９５ａ，１０７ａが移動することにより当接可能な位置関係にあれば、閉蓋状態において離れていても良い。
【００３４】
このように、折り曲げ片９５と引掛片１０７とが係合可能とされたことにより、誤って分離部９３のみを持って容器を持ち上げてしまった場合でも、容器本体部に対して分離部９３が係止されているため、粉末洗剤などの被収納物をこぼしてしまう可能性を低減できる。
【００３５】
上記に加え、この例においては、引掛片１０７の下方寄り部分に対して重なり合う前面部４１の表面に、表面側に突出する突起部４１ｄを設けたものとされている。この突起部４１ｄの存在により、図１５（Ｂ）に示すように、引掛片１０７の下端面１０７ａが手前側にせり出されたように配位されるため、上記の引掛片１０７の係止がより確実になされる。
【００３６】
引掛片１０７と折り曲げ片９５との係止状態を解除し、図１６に示すように開蓋するには、引掛片１０７を裏面側へと押し込み、その状態で分離部９３を上方へと開いてやれば良い。あるいは、折り曲げ片９５を手前側へと引き起こし、分離部９３を上方へと開いても良い。
ここで、上記後者のように、折り曲げ片９５を手前側へと引き起こすことにより係止状態を解除させる場合には、この引き起こし動作に伴い、前被覆残存部２２の挿入部１０１が手前側へと変形させられる。よってこの場合は、挿入部１０１が軽い力で変形可能なように、挿入部１０１に対し、折り曲げ片９５を上方に引き抜いて開蓋する方法をとる場合に比べ、係止部分９６を小さ目に形成しておくことが望ましい。また、この折り曲げ片９５の引き起こしが容易になされるように、例えば幅狭部９７の上端に折り目線を設けておいても良い。
【図面の簡単な説明】
【００３７】
【図１】本願発明の第１の実施の形態に係る紙製容器の展開図である。
【図２】同紙製容器の斜視図である。
【図３】同紙製容器の開蓋状態の斜視図である。
【図４】同紙製容器の蓋体の係止過程を示す斜視図である。
【図５】図４の要部拡大図である。
【図６】同紙製容器の閉蓋状態の斜視図である。
【図７】図６の VII−VII 線に沿う断面を示すもので（Ａ）は開蓋時の断面図、（Ｂ）は閉蓋時の断面図である。
【図８】同紙製容器の変更例を示す要部拡大図である。
【図９】同紙製容器の他の変更例を示す要部拡大図である。
【図１０】同紙製容器のさらに他の変更例を示す要部拡大図である。
【図１１】同紙製容器のさらに他の変更例を示す要部拡大図である。
【図１２】本願発明の第２の実施の形態に係る紙製容器の展開図である。
【図１３】本願発明の第３の実施の形態に係る紙製容器の展開図である。
【図１４】本願発明の第４の実施の形態に係る紙製容器要部拡大図である。
【図１５】（Ａ）は本願発明の第４の実施の形態に係る紙製容器の閉蓋状態の斜視図であり、（Ｂ）は（Ａ）のVIII−VIII 線に沿う断面を示す断面図である。
【図１６】本願発明の第４の実施の形態に係る紙製容器の開蓋状態の斜視図である。
【符号の説明】
【００３８】
１１      上被覆部
１２      上被覆残存部
１３      上被覆分離部
２１      前被覆部
２２      前被覆残存部
２３      前被覆分離部
３１      上面部
４１      前面部
５１      下面部
６１      後面部
７１      左上面延設部
７２      右上面延設部
７３      左前面延設部
７４      右前面延設部
７５      左下面延設部
７６      右下面延設部
７７      左後面延設部
７８      右後面延設部
８１      第１カット
８２      第２カット
８３      層間剥離部分
８４      本体上分離部
８５      本体前分離部
８６      本体分離部
８７      中間折り目線
９１      分離線
９２      残存部
９３      分離部
９４      ヒンジ用折り目線
９５      折り曲げ片
９６      係止部分
９７      幅狭部
９８      先端折り目線
９９      中間折り目線
１００    蓋体
１０１    挿入部
１０２    切り込み
１０３    広幅部
１０４    谷折り目線
１０５    山折り目線
１０７    引掛片
【図１】
2006151502.tif 000003
【図２】
2006151502.tif 000004
【図３】
2006151502.tif 000005
【図４】
2006151502.tif 000006
【図５】
2006151502.tif 000007
【図６】
2006151502.tif 000008
【図７】
2006151502.tif 000009
【図８】
2006151502.tif 000010
【図９】
2006151502.tif 000011
【図１０】
2006151502.tif 000012
【図１１】
2006151502.tif 000013
【図１２】
2006151502.tif 000014
【図１３】
2006151502.tif 000015
【図１４】
2006151502.tif 000016
【図１５】
2006151502.tif 000017
【図１６】
2006151502.tif 000018